(57)【特許請求の範囲】
【請求項１】
受信した画像信号を主映像画面と複数の小画面として表示する手段を備えたデジタル放送受信装置において、前記複数の小画面をスクロールさせるスクロール手段と、複数の周波数帯に多重された多チャンネル信号から、同一周波数帯に多重されているチャンネルの画像信号をグループ化して記憶する記憶手段と、を具備し、前記グループ化されたチャンネルの画像信号を前記記憶手段から予め定めた順に順次読み出して前記スクロールする小画面として連続的に表示することを特徴とするデジタル放送受信装置。
【発明の詳細な説明】
【０００１】
【発明の属する技術分野】
本発明は、複数画像表示機能を有するデジタル放送受信機に関する。
【０００２】
【従来の技術】
まず、図５乃至図８を用いて従来のデジタル放送受信機におけるマルチ画面機能を説明する。
図５は、従来のデジタル放送受信装置を示す。図中、アンテナ（１）で受信したデジタル放送の電波は、チューナー（２）で所望の周波数帯が抽出され、前処理部（３）に供給される。デジタル放送では各々の周波数帯がＱＰＳＫ等の手法で変調されており、前処理部（３）では抽出された周波数帯へのＱＰＳＫ復調が行われ、次にアナログ−デジタル変換され、誤り訂正等の処理を経てトランスポートストリームとして映像抽出部（８）に供給される。
【０００３】
トランスポートストリームは、図７に示すように複数の映像／音声や番組情報などが時分割で多重されており、固定長のトランスポートパケットが連続したものから成っている。トランスポートパケットは、図７に示すようにパケットの先頭を検出するための同期バイトやパケットに格納された信号の種別を表すパケットＩＤなどを含むヘッダ情報と、映像／音声や番組情報などを格納する情報部で構成されている。パケットＩＤは所望の映像／音声や番組情報などを抽出するために用いられる。
【０００４】
図５において映像抽出部（８）では所望の映像データが抽出され、抽出された映像データは映像復号部（４）に供給される。この映像データはＭＰＥＧ２等の画像圧縮手法で符号化されており、映像復号部（４）においてその復号が行われ、映像縮小部（５）に供給される。映像縮小部（５）では、映像信号が画素あるいは走査線の間引きによって縮小され、メモリ（６）に供給され記憶される。
【０００５】
マルチ画面作成部（７）では、メモリに蓄えられた映像を用いて複数の映像からなるマルチ画面が作成され出力される。マルチ画面の映像は通常静止画となり、例えば図８のように複数の縮小された静止画の集まりから構成される。
【０００６】
図５の信号処理系統は１系統なので、複数の映像を抽出復号しメモリに蓄えることは連続的に時分割で行うことになる。これを図６に示す処理フローを用いて説明する。
図６において、マルチ画面作成のため静止画要求がある（Ｓ２１）と、まずトランスポンダ同調（Ｓ２４）で所望の伝送周波数帯をチューナーによって抽出し、次に映像抽出（Ｓ２６）、映像復号＆縮小（Ｓ２７）、静止画メモリヘの格納（Ｓ２８）、を順次行い、最後に静止画メモリから要求された静止画データを出力する（Ｓ２９）。このように従来の処理工程によるときは、マルチ画面作成のためにはこの一連の処理がマルチ画面の画面数分必要である。
ここでトランスポンダとは１つのトランスポートストリームを変調した結果生じた１つの伝送周波数帯をいう。このことを以降トランスポンダと記述する。
【０００７】
次にスクロール機能を有するマルチ画面について図９を用いて説明する。
図９は、主映像を出力しながら、６個の小画面で他のチャンネルの静止画を表示する例である。その６個の小画面が上下にスクロールしてチャンネルを移動しながら多チャンネルを表示する。これはチャンネル番号順にスクロールするものであるが、近いチャンネル番号が同一トランスポンダに含まれるわけではないので、スクロール毎に図６に示す処理フローを実施することになり、スクロールに時間がかかる。
【０００８】
【発明が解決しようとする課題】
従来の方法では、マルチ画面作成のため、小画面１つ毎に、トランスポンダ同調、映像抽出、映像復号、映像縮小などを順次行う必要があり、マルチ画面作成に時間がかかりその間ユーザーを待たせることになる。さらにスクロール機能を有するマルチ画面では、スクロールの度に上記したトランスポンダ同調、映像抽出、映像復号、映像縮小などを順次行う必要があり、スクロールに時間がかかる。
本発明は、以上の従来の問題に鑑みてなされたものであって、その目的はマルチ画面を迅速に作成できるデジタル放送受信装置を提供することである。
【００１３】
【課題を解決するための手段】
本発明は、受信した画像信号を主映像画面と複数の小画面として表示する手段を備えたデジタル放送受信装置において、前記複数の小画面をスクロールさせるスクロール手段と、複数の周波数帯に多重された多チャンネル信号から、同一周波数帯に多重されているチャンネルの画像信号をグループ化して記憶する記憶手段と、を具備し、前記グループ化されたチャンネルの画像信号を前記記憶手段から予め定めた順に順次読み出して前記スクロールする小画面として連続的に表示するデジタル放送受信装置である。
【００１４】
【発明の実施の形態】
まず、本発明の実施例の説明を行う前にＭＰＥＧ１及びＭＰＥＧ２での画像タイプについて、図３を用いて説明する。
ＭＰＥＧで符号化された画像は、Ｉピクチャ、Ｐピクチャ、Ｂピクチャの３種類からなり、それぞれ以下のような性質がある。
Ｉピクチャ：フレーム内符号化画像。画面内で完結した符号化であり、復号側ではＩピクチャ単体で復号可能。
Ｐピクチャ：フレーム間順方向予測符号化画像。復号側では過去のフレーム（ＩピクチャまたはＰピクチャ）を用いて復号する。
Ｂピクチャ：双方向予測符号化画像。
復号側では過去と未来のフレーム（ＩピクチャまたはＰピクチャ）を用いて復号する。
【００１５】
例えば図３に示すように１５枚の画像に対して必ずＩピクチャが１枚あり、２枚のＢピクチャを挟んでＰピクチャが順次配置されている。図中、黒い矢印は復号のために必要な画像の依存関係を表している。つまり、Ｐピクチャの復号は過去のＩピクチャまたはＰピクチャに依存し、Ｂピクチャの復号は過去及び将来のＩピクチャまたはＰピクチャに依存している。
ＰピクチャとＢピクチャは単独では復号できないのに対し、Ｉピクチャは単独で復号可能である。言い換えれば、映像の復号はＩピクチャからのみ開始できる。また、Ｉピクチャの間隔は通常０.５秒に設定することが多く、このため映像の復号には最大０.５秒の時間を要する。
【００１６】
次に、図１と図２を用いて本発明の実施例を説明する。図５，図６の従来例と同じ部分の説明は省略し、異なる部分のみ説明する。
図１において、前処理部（３）から出力されるトランスポートストリームは複数の映像抽出部Ａ〜Ｄ（１０，１１，１２，１３）に供給され、映像抽出部Ａ〜Ｄ（１０，１１，１２，１３）では同一トランスポンダに多重されている映像（Ａ，Ｂ，Ｃ，Ｄ）が並列に抽出処理される。抽出された映像データはそれぞれＩピクチャ抽出部（１４，１５，１６，１７）に供給され、Ｉピクチャ抽出部（１４，１５，１６，１７）では抽出された映像データからＩピクチャのみが抽出され、バッファメモリ（１８）に供給され一時記憶される。ＭＰＥＧで符号化された映像データには、画像のタイプを示すピクチャタイプ情報が含まれており、それを参照することでＩピクチャを検出することができる。バッファメモリ（１８）に一時記憶された複数のＩピクチャは、順番に映像復号部（４）に供給される。これ以降は既に説明した従来例と同様に、映像縮小部５、メモリ６、マルチ画面作成部７を経てマルチ画面が作成され出力される。
【００１７】
次に図２を用いて本発明によるマルチ画面作成処理フローについて説明する。
マルチ画面作成のため静止画要求があると（Ｓ２１）、まず静止画メモリから所望の静止画を検索し、所望の画像があればそれを出力する。無ければ、従来と同様にトランスポンダ同調（Ｓ２４）、映像抽出を行うが、その際、本発明では従来単独の映像について行われている映像抽出を複数の映像について並列に行う（Ｓ２５）。その後映像復号及び縮小（Ｓ２７）、静止画メモリヘの格納（Ｓ２８）、を順次行い、最後に静止画メモリから要求された静止画データを出力（Ｓ２９）する。
【００１８】
次に本発明によるスクロール機能を有するマルチ画面について図４を用いて説明する。
本発明では複数の周波数帯に多重された多チャンネル信号から、同一トランスポンダに多重されている映像即ち複数チャンネルの各画像信号をまとめて取得しているので、それらはグループ化されて静止画メモリ（図１のメモリ６）に記憶されている。このグループ化された情報（複数チャンネルの画像信号）からスクロールで表示する順番を予め適宜決定して静止画メモリから順次読み出すようにすれば、図４に示すように同一トランスポンダに含まれる複数チャンネルの画像信号をスクロールする小画面として連続的に表示することができ、トランスポンダ同調の回数を減少することができる。
【００２３】
【発明の効果】
複数のトランスポンダに多重された多チャンネル信号から、同一トランスポンダに多重されている複数チャンネルの画像信号をグループ化してメモリに記憶し、同一トランスポンダに多重されている複数チャンネルの画像信号を、グループ化して記憶されたメモリから予め定めた順に順次読み出して画面上の複数の小画面位置にスクロール表示するので、トランスポンダ変更処理の回数を最低限に抑えることができ、マルチ画面のスクロールやページ切替をすばやく行うことができる。
【図面の簡単な説明】
【図１】本発明のデジタル放送受信装置のブロック図である。
【図２】本発明のデジタル放送受信装置における映像出力処理フロー図である。
【図３】本発明で用いるＭＰＥＧ画像タイプの説明図である。
【図４】本発明によるスクロール機能付きマルチ画面の説明図である。
【図５】従来のデジタル放送受信装置のブロック図である。
【図６】従来デジタル放送受信装置における映像出力処理フロー図である。
【図７】トランスポートストリームの説明図である。
【図８】マルチ画面の説明図である。
【図９】従来例のスクロール機能付きマルチ画面の説明図である。
【符号の説明】
１…アンテナ、２…チューナー、３…前処理部、４…映像復号部、５…映像縮小部、６…メモリ、７…マルチ画面作成部、８…映像抽出部、１０，１１，１２，１３…映像抽出部、１４，１５，１６，１７…Ｉピクチャ抽出部、１８…バッファメモリ。
【図１】
0003597037.tif 000002
【図２】
0003597037.tif 000003
【図３】
0003597037.tif 000004
【図４】
0003597037.tif 000005
【図５】
0003597037.tif 000006
【図６】
0003597037.tif 000007
【図７】
0003597037.tif 000008
【図８】
0003597037.tif 000009
【図９】
0003597037.tif 000010